(57)【要約】【課題】ＬＥＤ発光部からの光を発光部用窓を介して外部から容易に確認する。【解決手段】紙基板３０の最下層基板３０ｂの第１面３０ｂ１と第２面３０ｂ２は横方向折曲線６４を介して折り曲げられ、最上層基板３０ａの第３面３０ａ１と第４面３０ａ２は横方向分離線１１５を介して分離している。第１面３０ｂ１は前記第２面３０ｂ２より幅方向の長さ分大きい延長辺部３０Ａを有し、この延長辺部３０Ａに、前記発光部１０２が位置し、第１面３０ｂ１と前記第３面３０ａ１を第１縦方向折曲線１１１に沿って折り畳んだ際、延長辺部３０Ａに対応する前記第３面上に、前記発光部１０２を露出させる発光部用窓１０５が設けられている。【選択図】図５
2019159803.tif 000002
【特許請求の範囲】
【請求項１】
基板と、この基板上の導電回路とを含む回路基板と、
前記回路基板上に設けられ、使用者が押圧可能な複数のボタンと、
前記回路基板上に設けられ、前記ボタンに接続された通信モジュールとを備え、
前記通信モジュールは使用者が押圧した前記ボタンの押圧情報を記憶する記憶部と、前記記憶部に記憶された情報を外部へ出力する出力インターフェース部とを有し、
前記回路基板上に、前記通信モジュールに接続され、前記ボタンが押圧された際に押圧確認を行う発光部からなる押圧確認手段を有する確認回路を設け、
前記基板は前記導電回路、前記通信モジュールおよび前記確認回路を支持する導電回路基板と、前記複数のボタンを支持するとともに前記導電回路基板上に重ね合わされるボタン基板とに分割され、
前記導電回路基板は横方向折曲線を介して連続する少なくとも２つの第１面と第２面とを有し、これら２つの第１面と第２面は前記横方向折曲線を介して折曲自在となり、
前記ボタン基板は前記横方向折曲線と平行に延びる横方向分離線に沿って分離された少なくとも２つの第３面と第４面とを有し、
前記第１面と前記第３面とは第１縦方向折曲線を介して連続し、
前記第２面と前記第４面とは第２縦方向折曲線を介して連続し、
前記第１面は前記第２面より幅方向または縦方向の所定の長さ分大きい延長辺部を有し、この延長辺部に、前記発光部が位置し、前記第１面と前記第３面を前記第１縦方向折曲線に沿って折り畳んだ際、前記延長辺部に対応する前記第３面上に、前記発光部を露出させる発光部用窓が設けられていることを特徴とする情報収集装置。
【請求項２】
前記第１面は前記第２面より幅方向の所定の長さ分大きい延長辺部を有することを特徴とする請求項１記載の情報収集装置。
【請求項３】
前記第１面は前記第２面より縦方向の所定の長さ分大きい延長辺部を有することを特徴とする請求項１記載の情報収集装置。
【請求項４】
前記押圧確認手段はＬＥＤ発光部を含むことを特徴とする請求項１乃至３のいずれか記載の情報収集装置。
【請求項５】
前記第３面に前記発光部用窓を覆って拡散フィルムが貼り付けられていることを特徴とする請求項１乃至４のいずれか記載の情報収集装置。
【請求項６】
前記拡散フィルムは前記第３面のうち、前記第１面に重ね合わされる面に貼り付けられていることを特徴とする請求項５記載の情報収集装置。
【発明の詳細な説明】
【技術分野】
【０００１】
本発明は、ボタンの押圧情報を記憶して、記憶された情報を外部に伝送するインタフェース機能を備えた情報収集装置に関する。
【背景技術】
【０００２】
紙などの折り畳み可能なシート材に通信機能を内蔵させて、ある限られた期間だけ外部との無線通信を行い、その期間が終了すると、廃棄することを前提した装置が提案されている（特許文献１参照）。
【０００３】
この特許文献１に開示された使い捨て式自己充足型測定装置は、センサを含むデータ入力・試料採取部分とデータ取得部分とを、印字可能で折り畳み可能なシート材で密封したものである。この装置では、シート材として、紙などの安価で廃棄が容易な材料を用いることを想定している。
【０００４】
また、特許文献１には、シート材に、音声要素と視覚表示器等の付加的手段を設けてもよいことが記載されている。
【０００５】
さらに、特許文献２には、患者が自分自身の健康状態を記録して表示可能な携帯装置が開示されている。
【先行技術文献】
【特許文献】
【０００６】
【特許文献１】特許５０７４１９３号公報
【特許文献２】特許３２５０８１０号公報
【発明の概要】
【発明が解決しようとする課題】
【０００７】
特許文献１では、紙等のシート材に、使用者に選択押下させるための複数のボタンを配置しているが、シート材で形成されたボタンは、押下しても、押下したという感覚がほとんど得られないため、ボタンの押下が正しく認識されたかどうかがわからず不安になるという問題がある。
【０００８】
特許文献１は、視覚表示器を設けることを示唆しているが、この視覚表示器を何の目的にどのように使用するのかについては、何ら明らかにされていない。
【０００９】
また、特許文献２には、入力された値を表示可能にする例が開示されているが、特許文献２は物理的なボタンを備えた携帯装置を念頭に置いており、シート材にボタンを設けた場合の上述した問題とその解決策については何ら開示も示唆もない。
【００１０】
本発明は、上述した課題に鑑みてなされたものであり、シート材からなる回路基板に形成されたボタンを選択押下した際の発光部を含む押圧確認手段を有するとともに、この発光部を外部から容易に確認することができる情報収集装置を提供することを目的とする。
【課題を解決するための手段】
【００１１】
本発明は、基板と、この基板上の導電回路とを含む回路基板と、前記回路基板上に設けられ、使用者が押圧可能な複数のボタンと、前記回路基板上に設けられ、前記ボタンに接続された通信モジュールとを備え、前記通信モジュールは使用者が押圧した前記ボタンの押圧情報を記憶する記憶部と、前記記憶部に記憶された情報を外部へ出力する出力インターフェース部とを有し、前記回路基板上に、前記通信モジュールに接続され、前記ボタンが押圧された際に押圧確認を行う発光部からなる押圧確認手段を有する確認回路を設け、前記基板は前記導電回路、前記通信モジュールおよび前記確認回路を支持する導電回路基板と、前記複数のボタンを支持するとともに前記導電回路基板上に重ね合わされるボタン基板とに分割され、前記導電回路基板は横方向折曲線を介して連続する少なくとも２つの第１面と第２面とを有し、これら２つの第１面と第２面は前記横方向折曲線を介して折曲自在となり、前記ボタン基板は前記横方向折曲線と平行に延びる横方向分離線に沿って分離された少なくとも２つの第３面と第４面とを有し、前記第１面と前記第３面とは第１縦方向折曲線を介して連続し、前記第２面と前記第４面とは第２縦方向折曲線を介して連続し、前記第１面は前記第２面より幅方向または縦方向の所定の長さ分大きい延長辺部を有し、この延長辺部に、前記発光部が位置し、前記第１面と前記第３面を前記第１縦方向折曲線に沿って折り畳んだ際、前記延長辺部に対応する前記第３面上に、前記発光部を露出させる発光部用窓が設けられていることを特徴とする情報収集装置である。
【００１２】
本発明は、前記第１面は前記第２面より幅方向の所定の長さ分大きい延長辺部を有することを特徴とする情報収集装置である。
【００１３】
本発明は、前記第１面は前記第２面より縦方向の所定の長さ分大きい延長辺部を有することを特徴とする情報収集装置である。
【００１４】
本発明は、前記押圧確認手段はＬＥＤ発光部を含むことを特徴とする情報収集装置である。
【００１５】
本発明は、前記第３面に前記発光部用窓を覆って拡散フィルムが貼り付けられていることを特徴とする情報収集装置である。
【００１６】
本発明は、前記拡散フィルムは前記第３面のうち、前記第１面に重ね合わされる面に貼り付けられていることを特徴とする情報収集装置である。
【発明の効果】
【００１７】
本発明によれば、ボタンを選択押下した際,発光する発光部を含む押圧確認手段をもった情報収集装置を得ることができ、かつこの発光部を外部から容易に確認することができる。
【図面の簡単な説明】
【００１８】
【図１Ａ】図１Ａは本発明の第１の実施形態に係る情報収集装置を表側からみた外観図。
【図１Ｂ】図１Ｂは図１Ａに示す情報収集装置を裏側からみた外観図。
【図２】図２は図１Ａおよび図１Ｂに示す情報収集装置の展開図。
【図３】図３は通信モジュールの概略構成を示すブロック図。
【図４】図４はＡＳＩＣの内部構成の一例を示すブロック図。
【図５】図５は服薬記録カードの元となる紙基板を展開した図。
【図６Ａ】図６Ａはフレキシブル回路コネクタを示す平面図。
【図６Ｂ】図６Ｂはフレキシブル回路コネクタを示す側面図。
【図７Ａ】図７Ａはフレキシブル回路コネクタを示す側断面図。
【図７Ｂ】図７Ｂはフレキシブル回路コネクタを示す側断面図。
【図８】図８はフレキシブル確認回路と通信モジュールの接続関係を示す図。
【図９】図９は基板に貼り付けられた拡散フィルムを示す側断面図。
【図１０】図１０は本発明の第２の実施の形態に係わる情報収集装置を裏側からみた外観図。
【図１１】図１１は図１０の情報収集装置の展開図。
【図１２】図１２は紙基板を展開した図。
【図１３】図１３は本発明の第３の実施の形態に係わる情報収集装置の展開図。
【図１４】図１４は情報収集装置を裏側からみた外観図。
【発明を実施するための形態】
【００１９】
＜本発明の第１の実施の形態＞
以下、本発明の第１の実施の形態について、詳細に説明する。  
本実施形態は、患者が薬を服用した日時と服用後の具合を記録する情報収集装置（回路装置ともいう）であって、図１Ａはその表側からみた外観図、図１Ｂは裏側からみた外観図である。図１Ａおよび図１Ｂに示す情報収集装置は、シート状の服薬記録カードからなり、折り畳み式になっていて、展開すると図２のような情報入力面２が現れる。情報収集装置１としての服薬記録カードは後述する紙基板３０と、紙基板３０上に設けられた導電回路１８Ａと、この導電回路１８Ａに回路コネクタ９０を介して接続された無線送信可能な通信モジュール１０とを備えている（図３および図５参照）。
【００２０】
このうち紙基板３０と、この紙基板３０上に設けられた導電回路１８Ａとにより、回路基板７０が構成されている。なお、回路コネクタ９０は必ずしも設ける必要はなく、また回路コネクタ９０はフレキシブルなコネクタでも堅固なコネクタであってもよい。
【００２１】
服薬記録カードからなる情報収集装置１について更に述べる。服薬記録カードは使用者、例えば患者が病院での診察を終えて、処方箋に基づいて薬の調合が終わった段階で患者に渡されるものである。この服薬記録カードでは、患者が薬を服用した後に、患者自ら選択ボタンを押圧して、体の具合を記録できるようにしている。
【００２２】
図２の服薬記録カードの情報入力面２は３面構成であり、上方面２ａにはスタートボタン３と取り消しボタン４が設けられ、中央面２ｂには患者が服用すべき薬（錠剤）５が配置され、下方面２ｃには患者の症状の度合いを入力するための選択ボタンが配置されている。上方面２ａの裏面側が図１の「服薬記録カード」と記載された面である。
【００２３】
下方面２ｃには、薬の効用に関連する複数の症状が記載されている。図２の例では、（１）症状１、（２）症状２、（３）症状３、（４）症状４および（５）症状５の計５種類の症状が記載され、各症状ごとに、３通りの度合い（重度、中度、軽度）から一つを選択可能になっている。患者は、まず、５種類の症状に対応する選択ボタン６ａ〜６ｅからなる第１ボタン列６のいずれかを押圧して、特定の症状を選択した後に、引き続いて、その症状の度合いに対応する選択ボタン７ａ〜７ｃからなる第２ボタン列７のいずれかを押圧する。これにより、患者は、薬を服用した後に特定の症状の度合いを入力できる。患者は、必ずしも５種類の症状のすべてに回答する必要はなく、一部の症状のみに回答してもよい。
【００２４】
第１ボタン列６を構成する各選択ボタン６ａ〜６ｅは図２のＸ方向に沿って配置され、第２ボタン列７を構成する各選択ボタンは、第１ボタン列６に略平行にＹ方向に沿って複数列にわたって配置されている。
【００２５】
なお、下方面２ｃに記載された症状とその度合いは、あくまで一例にすぎず、薬の種類によって任意に変更して構わない。
【００２６】
患者は、服薬記録カードの使用を開始するときに、スタートボタン３を押圧する。その後、患者は、中央面２ｂに配置された錠剤５のケース５ａを指で押し込んで、中央面２ｂの下面側から薬を取り出して、服用する。そして、服用後の症状の度合いに該当する選択ボタン６、７を押圧する。
【００２７】
患者が押圧したスタートボタン３、取り消しボタン４、錠剤５の各ケースおよび各選択ボタン６、７の情報は、服薬記録カード内に内蔵された通信モジュール１０に自動的に記憶される仕組みになっている。
【００２８】
図３は上述した無線通信可能な通信モジュール１０の概略構成を示すブロック図である。図３の通信モジュール１０は、樹脂基板１１の上に実装されたＩＣチップとしてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２と、水晶振動子１３と、ボタン電池１４と、スピーカ１５と、樹脂基板１１の長辺に沿って形成される複数のパッド１６と、樹脂基板１１の外縁部に沿って形成されるアンテナパターン１７ａと、樹脂基板１１上に形成される導電パターン１７ｂとを有する。
【００２９】
図３は通信モジュール１０の内部構成を機能化したブロック図であり、実際の各回路部品やパターンの配置やサイズ、形状、個数は任意に変更可能である。
【００３０】
図４はＡＳＩＣ１２の内部構成の一例を示すブロック図である。図４のＡＳＩＣ１２は、患者が押圧したスタートボタン３、取り消しボタン４、錠剤５の各ケースおよび各選択ボタンの情報を時刻情報とともに時系列で記憶する記憶部２１と、記憶部２１に押圧情報を記憶する制御を行う制御部２２と、不図示のホストコンピュータとの間で無線通信を行う無線通信部（出力インターフェース部）２３とを有する。
【００３１】
また制御部２２は、患者がボタンを押圧した際、その押圧された情報を後述するフレキシブル確認回路１００のＬＥＤ発光部１０２を駆動させて発光させる。
【００３２】
記憶部２１は、患者が押圧したボタンを特定する情報と、そのボタンが押圧された時刻情報とを組にして記憶する。取り消しボタン４は、取り消しボタン４が押圧される直前に押圧されたボタンの情報を取り消すことを意図したものである。ホストコンピュータは、記憶部２１に取り消しボタン４の押圧を特定する情報と、そのボタンが押圧された時刻情報とが記憶されている場合は、取り消しボタン４の直前に押圧されたボタンの情報を取り消す。
【００３３】
無線通信部２３は、ホストコンピュータとの間で、いわゆるＮＦＣ（Ｎｅａｒ  Ｆｉｅｌｄ  Ｃｏｍｍｕｎｉｃａｔｉｏｎ、近接無線通信）やBluetooth（登録商標）等の非接触通信を行って、情報の送受を行う。無線通信部２３が無線通信に用いる方式や周波数帯域は特に制限されるものではなく、例えば１３．５６ＭＨｚの帯域でＩＳＯ１４４４３に準拠した無線方式で無線通信を行い、Bluetoothの場合は規格で定めた周波数（例えば２．４ＧＨｚ）で無線通信を行う。
【００３４】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００３５】
次に、本実施形態に係る服薬記録カードの具体的構造について説明する。上述した服薬記録カード１は、１枚の紙基板を縦方向に三等分して折り畳んだ三層構造であり、その表面に図２に示す情報入力面２が現れるようにしている。これをさらに後述する横方向折曲線６４に沿って横方向に三等分して折り畳むと図１に示す構造になる。以下では、大元の１枚の紙基板に形成される導電パターンについて説明する。
【００３６】
図５は服薬記録カードの元となる紙基板３０を展開した図である。図５の紙基板３０を縦方向に延びる左側の縦方向折曲線６１と、右側の第１縦方向折曲線１１１および第２縦方向折曲線１１２とにより三等分に分割した各分割基板３０ａ、３０ｂ、３０ｃには、それぞれ異なる導電パターン１８や切り欠き等が設けられる。なお、これら３つの分割基板３０ａ〜３０ｃは、左側の縦方向折曲線６１と、右側の第１縦方向折曲線１１１および第２縦方向折曲線１１２とにより折り曲げ可能とされており、物理的に切り離されるものではない。
【００３７】
図５の中央の分割基板３０ｂは、最下層に配置されて導電パターン１８が形成される最下層基板３０ｂである。その左側の分割基板３０ｃは、主に切り欠き６２とミシン目６３を有し、最下層基板３０ｂの上に配置される中間層基板３０ｃである。最下層基板３０ｂの右側の分割基板３０ａは、スイッチ接点の導通／遮断を行う導電パターン３８を有し、中間層基板３０ｃの上に配置される最上層基板３０ａである。
【００３８】
後述するように、三等分された最下層基板３０ｂに中間層基板３０ｃを折り畳んで熱圧着した後に、その上に錠剤５を収納するケース５ａ含む成形シートを載せ、その上に最上層基板３０ａを折り畳んで熱圧着することにより、図２の構造が得られる。したがって、図５に示す最上層基板３０ａの裏面側が、図２に示す情報入力面２になる。
【００３９】
最下層基板３０ｂの上に中間層基板３０ｃを折り畳んで熱圧着する前に、最下層基板３０ｂに通信モジュール１０が接合され、その上に最上層基板３０ａが熱圧着される。このように、通信モジュール１０は、最下層基板３０ｂと最上層基板３０ａの間に挟み込まれる。これにより、最下層基板３０ｂの表面に形成された導電パターン１８と通信モジュール１０は、服薬記録カードの完成状態では、外見に現れない。同様に、最上層基板３０ａ上の導電パターンも、中間層基板３０ｃの上に折り畳まれて熱圧着されるため、外見に現れない。
【００４０】
次に図５により紙基板３０について更に述べる。紙基板３０のうち最下層基板３０ｂは、後述のように導電パターン１８と接地パターン１８ａとを有する導電回路１８Ａと、通信モジュール１０と、フレキシブル確認回路１００を支持する導電回路基板となっている。
【００４１】
また最上層基板３０ａはボタン３、４、６、７を支持するボタン基板となっている。
【００４２】
このうち最下層基板３０ｂは、２本の横方向折曲線６４、６４に沿って折り曲げられて、連続する３つの面３０ｂ１、３０ｂ２、３０ｂ３に折り曲げ自在となる。
【００４３】
また最上層基板３０ａは、２本の横方向分離線１１５、１１５を介して３つの面３０ａ１、３０ａ２、３０ａ３に分離されている。
【００４４】
さらに中間層基板３０ｃは、２本の横方向分離線１１５、１１５を介して３つの面３０ｃ１、３０ｃ２、３０ｃ３に分離されている。
【００４５】
また最下層基板３０ｂの面３０ｂ１と、中間層基板３０ｃの面３０ｃ１との間、最下層基板３０ｂの面３０ｂ２と、中間層基板３０ｃの面３０ｃ２との間、および最下層基板３０ｂの面３０ｂ３と、中間層基板３０ｃの面３０ｃ３との間には、各々図５において縦方向に一直線状に延びる左側の縦方向折曲線６１が形成され、この縦方向折曲線６１により面３０ｂ１と面３０ｃ１が互いに連続しかつ折り曲げ自在となり、面３０ｂ２と面３０ｃ２が互いに連続しかつ折り曲げ自在となり、面３０ｂ３と面３０ｃ３が互いに連続しかつ折り曲げ自在となっている。
【００４６】
なお、本実施の形態において「縦方向」、「横方向」、「左側」、「右側」とは紙基板３０を図５に示す方向に配置した場合の「縦方向」、「横方向」、「左側」、「右側」を意味する。
【００４７】
また図５において、最上層基板３０ａの面３０ａ１は、最下層基板３０ｂの面３０ｂ１に対して互いに連続しかつ第１縦方向折曲線１１１を介して折り曲げ自在となり、最上層基板３０ａの面３０ａ２および面３０ａ３は、最下層基板３０ｂの面３０ｂ２および面３０ｂ３に対して互いに連続しかつ第２縦方向折曲線１１２を介して折り曲げ自在となっている。
【００４８】
図５に示すように、最下層基板３０ｂの面３０ｂ１と最上層基板３０ａの面３０ａ１との間の第１縦方向折曲線１１１は、最下層基板３０ｂの面３０ｂ２と最上層基板３０ａの面３０ａ２との間の第２縦方向折曲線１１２に対して横方向の右側外方へ変位している。このことにより、最下層基板３０ｂの面３０ｂ１（後述する第１面３０ｂ１）は、３０ｂ２（後述する２面３０ｂ２）より幅方向（図５の横方向）右方へ所定長さ拡大した延長辺部３０Ａを有することになる。このように最下層基板３０ｂの面３０ｂ１が幅方向に拡大することに伴い、最上層基板３０ａの面３０ａ１も面３０ａ２に比べて幅方向の長さが長くなっており、この場合、面３０ａ１および面３０ｂ１の幅方向の長さは同一となっており、面３０ａ１および面３０ｂ１の幅方向の長さは、面３０ｃ１の長さより長くなっている。
【００４９】
次に、最下層基板３０ｂの表面に形成された導電パターン１８について図５を用いて説明する。図５の導電パターン１８は、三等分された上方面〜下方面２ａ〜２ｃからなる情報入力面２に対応して３つの領域に分離されている。
【００５０】
このうち導電パターン１８の上方領域は、スタートボタン３に対応したスイッチ接点３１と、取り消しボタン４に対応したスイッチ接点３２とを有する。導電パターン１８の中央領域は、錠剤５の各ケースに対応した計６つのスイッチ接点３３を有する。導電パターン１８の下方領域は、患者の症状および症状の程度を選択する各選択ボタンに対応した計１５個のスイッチ接点３４〜３７を有する。
【００５１】
これらスイッチ接点３１〜３７のうち、錠剤５の各ケースに５ａ対応した計６つのスイッチ接点３３は初期状態で導通しており、それ以外の全てのスイッチ接点３１、３２、３４〜３７は初期状態で遮断されている。
【００５２】
錠剤５の各ケース５ａに対応したスイッチ接点３３は、ケース５ａを押圧して錠剤５を取り出す際に物理的に破断されて、電気的導通が遮断される。それ以外のスイッチ接点３１、３２、３４〜３７は、対応するボタンを押圧したときに、情報入力面２の裏面側に設けられた円形の導電パターン３８が対応するスイッチ接点に接触して、押圧している間だけ一時的に導通する。
【００５３】
このように、スイッチ接点３１〜３７の中には、初期状態で電気的に導通しているものと、電気的に遮断されているものとがある。各スイッチ接点を物理的に破断するか、各スイッチ接点に別の導電パターンを接触させることにより、スイッチ接点の状態を切り替えることができる。
【００５４】
図５に示す各スイッチ接点３１〜３７の一端は、導電パターン１８を介して面３０ｂ１上の端子部３９の対応する端子に接続され、他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、面３０ｂ１〜面３０ｂ３の外縁に沿って、他の導電パターンとスイッチ接点を取り囲むように形成されている。
【００５５】
この接地パターン１８ａは、ノイズの低減を図るために、他の導電パターンよりも太く形成されている。
【００５６】
ここで上述した導電パターン１８と接地パターン１８ａとにより、導電回路１８Ａが構成される。また導電回路１８Ａに端子部３９が接続される。また紙基板３０と、紙基板３０上に形成された導電回路１８Ａとにより通信モジュール１０が接合される前の回路基板７０が構成される。
【００５７】
このように、すべてのスイッチ接点が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、すなわち押圧された選択ボタンまたは破断位置を特定する情報と、接点の状態が変化した時刻情報とを記憶する。
【００５８】
導電パターン１８の下方領域上の各スイッチ接点は、Ｘ方向に沿って配置される第１ボタン列に対応する第１スイッチ接点列３４と、第１ボタン列に略平行にＹ方向に沿って配置される複数の第２ボタン列に対応する複数の第２スイッチ接点列３５〜３７とにグループ分けされている。
【００５９】
第２スイッチ接点列３５〜３７のそれぞれにおける計５個のスイッチ接点の一端側はいずれも共通の端子に接続され、他端側はいずれも接地端子に接続されており、これら５個のスイッチ接点は並列接続されている。図５の例では、計５個のスイッチ接点が並列接続された第２スイッチ接点列３５〜３７が計３個設けられている。
【００６０】
並列接続された各スイッチ接点列３５〜３７内のどのスイッチ接点の状態が変化しても、その状態変化情報は同じ端子を介して通信モジュール１０に伝達されるため、通信モジュール１０では、どのスイッチ接点が変化したのかをその情報だけでは特定できない。そこで、本実施形態では、第２スイッチ接点列３５〜３７内のスイッチ接点の状態を変化させる前に、第１スイッチ接点列３４内のスイッチ接点の状態を変化させるようにルール化することで、第２スイッチ接点列３５〜３７内のどのスイッチ接点の状態が変化したかを特定している。
【００６１】
より具体的には、まず第１スイッチ接点列３４内のいずれかのスイッチ接点の状態を変化させて、このスイッチ接点のＸ方向位置を検出する。そして、同じＸ方向位置にある第２スイッチ接点列３５〜３７内の計３個のスイッチ接点を選択候補として決定する。次に、これら３個のスイッチ接点の中で、状態が変化したものがあれば、そのスイッチ接点の情報を通信モジュール１０に伝達する。
【００６２】
このように、第１スイッチ接点列３４内のスイッチ接点の状態変化情報と、第２スイッチ接点列３５〜３７内のスイッチ接点の状態変化情報とを組み合わせることで、第２スイッチ接点列３５〜３７内の特定のスイッチ接点の状態を正しく通信モジュール１０に伝達することができる。
【００６３】
複数のスイッチ接点を並列接続して、一端側を共通の端子に接続することは、端子部３９内の端子の総数と導電パターン１８の数を削減できることから、特にパターン面積が限られている場合に有効である。第２スイッチ接点列３５〜３７内の複数のスイッチ接点を並列接続しても、第２スイッチ接点列３５〜３７と平行に配置された第１スイッチ接点列３４内のスイッチ接点の状態と組み合わせることで、第２スイッチ接点列３５〜３７内の特定のスイッチ接点の状態を正確に特定できるため、実用上の問題は起きない。  
このように、本実施形態に係る服薬記録カード１は、スタートボタン３や各種の選択ボタンの他に、直前のボタン操作を取り消すための取り消しボタン４を具備するため、ボタンの誤操作による誤った情報が取消情報なく通信モジュール１０に伝達されるおそれがなくなり、通信モジュール１０およびホストコンピュータに伝達される情報の信頼性が向上する。
【００６４】
ところで、上述のように下層基板３０ｂは、横方向に延びる各々の横方向折曲線６４を介して三等分に折り畳まれる。
【００６５】
このうち最下層基板３０ｂの横方向折曲線６４近傍には、横方向折曲線６４を介して最下層基板３０ｂを繰り返し折り曲げた場合でも、導電回路１８Ａが破断したり破損することを防止するため、フレキシブル回路コネクタ８０Ａ、８０Ｂが設けられている。
【００６６】
具体的には最下層基板３０ｂは、横方向に延びる２本の横方向折曲線６４を介して三等分に折り畳まれるが、この場合、最下層基板３０ｂは２本の横方向折曲線６４により、面３０ｂ１と面ｂ２と面ｂ３に区画され、面３０ｂ２と面３０ｂ３との間に横方向折曲線６４を跨いでフレキシブル回路コネクタ８０Ａが設けられ、面３０ｂ１と面３０ｂ２との間に横方向折曲線６４を跨いでフレキシブル回路コネクタ８０Ｂが設けられている。
【００６７】
フレキシブル回路コネクタ８０Ａ、８０Ｂは、略同様の構造をもつため、ここではフレキシブル回路コネクタ８０Ａについて図６Ａおよび図６Ｂにより説明する。
【００６８】
図６Ａおよび図６Ｂに示すように、導電回路１８Ａのうち面３０ｂ３上の導電回路は、導電回路９３となっており、面３０ｂ２上の導電回路は導電回路９４となっている。
【００６９】
フレキシブル回路コネクタ８０Ａは最下層基板３０ｂのうち、横方向折曲線６４を介して連結された面３０ｂ２と面３０ｂ３との間に横方向折曲線６４を跨いで設けられ、面３０ｂ３側の導電回路９３と面３０ｂ２側の導電回路９４とを接続するものである。この場合、面３０ｂ３上の導電回路９３と面３０ｂ２上の導電回路９４は互いに離間し、フレキシブル回路コネクタ８０Ａを設けることにより、初めて導通するようになっている。しかしながら、フレキシブル回路コネクタ８０Ａがない場合でも、面３０ｂ３上の導電回路９３と面３０ｂ２上の導電回路９４を接続しておいてもよい。この場合、フレキシブル回路コネクタ８０Ａは、導電回路９３と導電回路９４が切断した際のバックアップ回路として機能する。
【００７０】
次にフレキシブル回路コネクタ８０Ａについて更に述べる。
【００７１】
図５、図６Ａおよび図６Ｂに示すように、フレキシブル回路コネクタ８０Ａは、絶縁性基材８１と、絶縁性基材８１の一側に設けられた一側端子部８３と、絶縁性基材８１の他側に設けられた他側端子部８４と、これら一側端子部８３と他側端子部８４とを接続する複数の導電部（導電インキ）８２とを有する。
【００７２】
この場合、導電部８２は一側端子部８３から他側端子部８４まで直線状に延びている。
【００７３】
また一側端子部８３および他側端子部８４上には、ヒートシール時に異方導電性能を発現する異方導電性接着剤８７が設けられている。
【００７４】
ところで、一側端子部８３は第１基板９１上の導電回路９３に接続される端子部であり、他側端子部８４は面３０ｂ２上の導電回路９４に接続される端子部である。
【００７５】
また絶縁性基材８１上には、一側端子部８３と一側端子部８３上の異方導電性接着剤８７、他側端子部８４と他側端子部８４上の異方導電性接着剤８７を露出させ、導電部８２上を覆ってアクリルからなる絶縁層８８が設けられている。
【００７６】
絶縁層８８の材質としては、特に限定はなく、ビニル系、ゴム系などの材料を使用できる。また、図７Ａに示すように、フレキシブル回路コネクタ８０の絶縁層８８として、異方導電性接着剤製のものを使用することもできる。
【００７７】
図７Ａにおいて、導電部８２上に同一の異方導電性接着剤を印刷することにより、異方導電性接着剤からなり異方導電性能を発現する予定となる異方導電性能発現予定部８７ａと、異方導電性能を発現しない異方導電性接着剤製の絶縁層８８とを同時に形成することができ、製造効率の向上を図ることができる。
【００７８】
図７Ｂに示すように、フレキシブル回路コネクタ８０Ａを導電回路９３または導電回路９４にヒートシールする際、異方導電性接着剤からなる異方導電性能発現予定部８７ａがヒートシールされて、異方導電性能を発現する異方導電性能発現部８７ｂに変わる。図７Ｂにおいて、絶縁層８８は、異方導電性接着剤からなるが、異方導電性能は発現していない。
【００７９】
なお、フレキシブル回路コネクタ８０の絶縁性基材８１は、柔軟性基材、例えばポリエチレンテレフタレートまたはポリブチレンテレフタレート製の基材からなる。そしてフレキシブル回路コネクタ８０は一側端子部８３および他側端子部８４を下方に向けて、一側端子部８３と面３０ｂ３の導電回路９３を接続させ、他側端子部８４と面３０ｂ２の導電回路９４とを接続させて、導電回路９３と導電回路９４とを接続する（図６Ａおよび図６Ｂ参照）。
【００８０】
このように最下層基板３０ｂの面３０ｂ３と面３０ｂ２との間に横方向折曲線６４を跨いで、導電回路９３と導電回路９４を接続してフレキシブル回路コネクタ８０Ａを設けることにより、最下層基板３０ｂを横方向折曲線６４を介して繰り返し折り曲げたり拡げたりした場合であっても、フレキシブル回路コネクタ８０Ａが破断することはない。このことにより、面３０ｂ３の導電回路９３と面３０ｂ２の導電回路９４との間で、破断したり破損することなく、常に安定的に導電回路９３と導電回路９４との間の導通を得ることができる。
【００８１】
また上述のように、紙基板３０のうち分割基板３０ｂに、通信モジュール１０が配置されるが、この分割基板３０ｂと通信モジュール１０との間にフレキシブル確認回路１００が介在される（図５参照）。このフレキシブル確認回路１００はいずれかのボタン、例えばスタートボタン３、取り消しボタン４、錠剤５のケース５ａ、選択ボタン６および選択ボタン７のいずれかのボタンが押圧された際に、この押圧確認を行うＬＥＤ発光部１０２等の押圧確認手段を含む。図５において、このＬＥＤ発光部１０２は通信モジュール１０の右端から手前側へ露出している。
【００８２】
具体的には、図５および図８に示すように、フレキシブル確認回路１００はビニル系、ゴム系の材料からなる絶縁性のフレキシブル基材１０１と、このフレキシブル基材１０１上に実装されたＬＥＤ発光部１０２と、フレキシブル基材１０１上に設けられ、ＬＥＤ発光部１０２と通信モジュール１０とを接続するとともに、線状に形成された導電部１０３とを有する。
【００８３】
ここで、図８は分割基板３０ｂに配置される通信モジュールの裏面と、この通信モジュール１０の裏面上に取付けられたフレキシブル確認回路１００とを示す。
【００８４】
フレキシブル確認回路１００のＬＥＤ発光部１０２は、紙基板３０のうち分割基板３０ａに形成された発光部用窓１０５を介して外方へ露出する。そしてＬＥＤ発光部１０２は、ボタン３、４、５ａ、６および７のうちいずれかのボタンが患者により押圧された際、通信モジュール１０の制御部２２により発光して発光部用窓１０５から発光状態を外方へ現わすようになっている。また、紙基板３０の分割基板３０ｃには、ＬＥＤ発光部１０２を露出させるための切り欠き６６が設けられている。
【００８５】
ところでＬＥＤ発光部１０２としては、例えばチップ状のＬＥＤ素子を用いることができ、ＬＥＤ発光部１０２の電源は通信モジュール１０内のボタン電池から供給される。
【００８６】
次に、紙基板３０に対してフレキシブル確認回路１００を設置する方法について図５および図８により説明する。
【００８７】
まずフレキシブル基材１０１上に印刷等により線状の導電部１０３が形成され、この導電部１０３の一側端部（図８の左側端部）に、チップ状のＬＥＤ素子からなるＬＥＤ発光部１０２が導電性接着剤等により実装される。このようにしてフレキシブル基材１０１と、導電部１０３と、ＬＥＤ発光部１０２とを有するフレキシブル確認回路１００が構成される。
【００８８】
次に、このようにして構成されたフレキシブル確認回路１００は、導電部１０３およびＬＥＤ発光部１０２を通信モジュール１０側へ向けて、通信モジュール１０の裏面に取付けられる。本実施形態においては、フレキシブル確認回路１００は、通信モジュール１０のスピーカ端子部に接続されている。この場合、スタートボタン３、取り消しボタン４、錠剤５のケース５ａ、選択ボタン６および選択ボタン７のいずれかのボタンが押圧された際にスピーカからブザー音が鳴るように設定しておくことで、ブザー音に連動してＬＥＤ発光部１０２が発光する。また、ボタン毎にブザー音を変えておくとＬＥＤの発光も変化する為、発光状態でどのボタンが押されたか視覚的に確認することが可能になる。
【００８９】
このとき、通信モジュール１０は、フレキシブル確認回路１００の導電部１０３の他側端部（図８の右側端部）に導電性接着剤を用いて接続される。
【００９０】
このように予めフレキシブル確認回路１００と通信モジュール１０とを接続しておき、互いに接続された通信モジュール１０とフレキシブル確認回路は、その後、紙基板３０の分割基板３０ｂ上に載置される。
【００９１】
この際、通信モジュール１０は分割基板３０ｂ上に設けられた導電回路１８Ａに、回路コネクタ９０を介して接続される。
【００９２】
また図８および図９に示すように、紙基板３０の最上層基板３０ａに、最上層基板３０ａに形成された発光部用窓１０５を覆って、拡散フィルム１２０が貼り付けられている。図９において、拡散フィルム１２０は最上層基板３０ａのうち折り畳まれる最下層基板３０ｂ側の面に貼り付けられている。
【００９３】
このような拡散フィルム１２０は、図９に示すように、ＰＥＴ（ポリエチレンテレフタレート）製の透明基材１２１と、透明基材１２１上に設けられたシリカ粒子等の光を拡散する光拡散粒子１２３と、この光拡散粒子１２３を保持するバインダ１２２とを有し、拡散フィルム１２０は透明基材１２１を最上層基板３０ａ側に向けて粘着剤１２４により最上層基板３０ａに貼り付けられている。
【００９４】
この拡散フィルム１２０は基材１２１上に光拡散粒子１２３とバインダ１２２とを有するインキをコーティングし、乾燥させることにより得られる。
【００９５】
次に図５により、ＬＥＤ発光部１０２および発光部用窓１０５の配置位置について述べる。図５に示すように、ＬＥＤ発光部１０２は最下層基板３０ｂの面３０ｂ１（第１面３０ｂ１）のうち、第１縦方向折曲線１１１近傍に配置され、発光部用窓１０５は最上層基板３０ａの面３０ａ１（第３面３０ａ１）のうち第１縦方向折曲線１１１近傍に配置されている。具体的には、ＬＥＤ発光部１０２は最下層基板３０ｂの面３０ｂ１のうち、延長部辺部３０Ａ上に配置され、最下層基板３０ｂの面３０ｂ１と最上層基板３０ａの面３０ａ１を第１縦方向折曲線１１１に沿って折り畳んだ際に、延長辺部３０Ａに対応する面３０ａ１（第３面３０ａ１）上に発光部用窓１０５が配置されている。
【００９６】
また上述のように最下層基板３０ｂの面３０ｂ２と最上層基板３０ａの面３０ａ２との間には第２縦方向折曲線１１２が形成されている。
【００９７】
本実施の形態において、上述のように最下層基板３０ｂの面３０ｂ１を第１面といい、面３０ｂ２を第２面といい、また最上層基板３０ａの面３０ａ１を第３面といい、面３０ａ２を第４面とする。
【００９８】
図５において、面３０ｂ１（第１面３０ｂ１）上に中間層基板３０ｃの面３０ｃ１を介在させて、第１縦方向折曲線１１１を介して面３０ａ１（第３面３０ａ１）を折り畳み、面３０ｂ２（第２面３０ｂ２）上に中間層基板３０ｃの面３０ｃ２を介在させて第２縦方向折曲線１１２を介して面３０ａ２（第４面３０ａ２）を折り畳み、面３０ｂ３上に中間層基板３０ｃの面３０ｃ３を介在させて第２縦方向折曲線１１２を介して面３０ａ３を折り畳む。
【００９９】
この場合、図５に示すように、第１縦方向折曲線１１１は第２縦方向折曲線１１２より横方向右側外方に位置する。またＬＥＤ発光部１０２および発光部用窓１０５は第２縦方向折曲線１１２の延長線Ｌより横方向外方に位置する。
【０１００】
このため紙基板３０の最下層基板３０ｂ上に中間層基板３０ｃを介して最上層基板３０ａを折り畳んだ後、更に折り畳まれた紙基板３０を２本の横方向折曲線６４、６４に沿って三等分して折り畳んだ際、発光部用窓１０５は紙基板３０の一部に覆われることはなく、発光部用窓１０５を確実に横方向外方へ露出させることができる（図１Ｂ参照）。
【０１０１】
使用に際して、患者（使用者）がいずれかのボタン、例えばスタートボタン３、取り消しボタン４、錠剤５のケース５ａ、選択ボタン６および選択ボタン７のうちいずれかのボタンを押圧した際（図２参照）、通信モジュール１０の制御部２２により、フレキシブル確認回路１００のＬＥＤ発光部１０２を発光させる。このときＬＥＤ発光部１０２の発光状態は、発光部用窓１０５および拡散フィルム１２０を介して外方へ現れる。このことにより、患者は、自らがいずれかのボタンを押圧したことを直ちに確認することができる。
【０１０２】
一般に紙基板３０に設けられたボタン３、４、６、７あるいはケース５ａを押圧した場合、この押圧したという感覚はボタンから得ることはできない。このためボタン３、４、６、７あるいはケース５ａを押圧しても押圧したか否か不安になることも考えられるが、本実施の形態によれば、ボタン３、４、６、７あるいはケース５ａを押圧した場合、患者は直ちに発光部用窓１０５を介してＬＥＤ発光部１０２の発光状態を確認することができるため、ボタンを押圧したことを直ちに確認することができる。
【０１０３】
この場合、ＬＥＤ発光部１０２からの光は拡散フィルム１２０を通って発光部用窓１０５から外方へ放出される。この際、ＬＥＤ発光部１０２からの光は拡散フィルム１２０により拡散されて外方へ出ていくことになる。このため使用者が発光部用窓１０５を斜めからみたり、あるいは発光部用窓１０５を離してみた場合であっても視認性良くＬＥＤ発光部１０２からの光を確実に確認することができる。
【０１０４】
また上述のように紙基板３０の最下層基板３０ｂ上に中間層基板３０ｃを介して最上層基板３０ａを折り畳み、その後、さらに紙基板３０を２本の横方向折曲線６４、６４に沿って三等分して折り畳んだ場合でも、発光部用窓１０５を外方へ露出させることができるので、この発光部用窓１０５を介してＬＥＤ発光部１０２からの光を確実に確認することができる。
【０１０５】
このように、本実施の形態によれば、紙基板３０を拡げた場合でも折り畳んだ場合でも、常に発光部用窓１０５を介してＬＥＤ発光部１０２からの光を確認することができる。
【０１０６】
＜本発明の第２の実施の形態＞
以下、本発明の第２の実施の形態について、図１０乃至図１２により説明する。なお、図１０乃至図１２に示す第２の実施の形態において、図１Ａ乃至図９に示す第１の実施の形態と同一部分には同一符号を付して詳細な説明は省略する。
本実施形態は、患者が薬を服用した日時と服用後の具合を記録する情報収集装置（回路装置ともいう）であって、図１０はその表側からみた外観図である。図１０に示す情報収集装置は、シート状の服薬記録カードからなり、折り畳み式になっていて、展開すると図１１のような情報入力面２が現れる。情報収集装置１としての服薬記録カードは後述する紙基板３０と、紙基板３０上に設けられた導電回路１８Ａと、この導電回路１８Ａに回路コネクタ９０を介して接続された無線送信可能な通信モジュール１０とを備えている（図１２参照）。
【０１０７】
このうち紙基板３０と、この紙基板３０上に設けられた導電回路１８Ａとにより、回路基板７０が構成されている。なお、回路コネクタ９０は必ずしも設ける必要はなく、また回路コネクタ９０はフレキシブルなコネクタでも堅固なコネクタであってもよい。
【０１０８】
服薬記録カードからなる情報収集装置１について更に述べる。服薬記録カードは使用者、例えば患者が病院での診察を終えて、処方箋に基づいて薬の調合が終わった段階で患者に渡されるものである。この服薬記録カードでは、患者が薬を服用した後に、患者自ら選択ボタンを押圧して、体の具合を記録できるようにしている。
【０１０９】
図１１の服薬記録カードの情報入力面２は３面構成であり、上方面２ａにはスタートボタン３と取り消しボタン４が設けられ、中央面２ｂには患者が服用すべき薬（錠剤）５が配置され、下方面２ｃには患者の症状の度合いを入力するための選択ボタンが配置されている。
【０１１０】
患者は、まず、第１ボタン列６のいずれかを押圧して、特定の症状を選択した後に、引き続いて、その症状の度合いに対応する第２ボタン列７のいずれかを押圧する。
【０１１１】
図１２は服薬記録カードの元となる紙基板３０を展開した図である。図１２の紙基板３０を縦方向に延びる左側の縦方向折曲線６１と、右側の第１縦方向折曲線１１１および第２縦方向折曲線１１２とにより三等分に分割した各分割基板３０ａ、３０ｂ、３０ｃには、それぞれ異なる導電パターン１８や切り欠き等が設けられる。なお、これら３つの分割基板３０ａ〜３０ｃは、左側の縦方向折曲線６１と、右側の第１縦方向折曲線１１１および第２縦方向折曲線１１２とにより折り曲げ可能とされており、物理的に切り離されるものではない。
【０１１２】
図１２の中央の分割基板３０ｂは、最下層に配置されて導電パターン１８が形成される最下層基板３０ｂである。その左側の分割基板３０ｃは、主に切り欠き６２とミシン目６３を有し、最下層基板３０ｂの上に配置される中間層基板３０ｃである。最下層基板３０ｂの右側の分割基板３０ａは、スイッチ接点の導通／遮断を行う導電パターン３８を有し、中間層基板３０ｃの上に配置される最上層基板３０ａである。
【０１１３】
後述するように、三等分された最下層基板３０ｂに中間層基板３０ｃを折り畳んで熱圧着した後に、その上に錠剤５を収納するケース５ａ含む成形シートを載せ、その上に最上層基板３０ａを折り畳んで熱圧着することにより、図１１の構造が得られる。したがって、図１２に示す最上層基板３０ａの裏面側が、図１１に示す情報入力面２になる。
【０１１４】
最下層基板３０ｂの上に中間層基板３０ｃを折り畳んで熱圧着する前に、最下層基板３０ｂに通信モジュール１０が接合され、その上に最上層基板３０ａが熱圧着される。このように、通信モジュール１０は、最下層基板３０ｂと最上層基板３０ａの間に挟み込まれる。これにより、最下層基板３０ｂの表面に形成された導電パターン１８と通信モジュール１０は、服薬記録カードの完成状態では、外見に現れない。同様に、最上層基板３０ａ上の導電パターンも、中間層基板３０ｃの上に折り畳まれて熱圧着されるため、外見に現れない。
【０１１５】
次に図１２により紙基板３０について更に述べる。紙基板３０のうち最下層基板３０ｂは、後述のように導電パターン１８と接地パターン１８ａとを有する導電回路１８Ａと、通信モジュール１０と、フレキシブル確認回路１００を支持する導電回路基板となっている。
【０１１６】
また最上層基板３０ａはボタン３、４、６、７を支持するボタン基板となっている。
【０１１７】
このうち最下層基板３０ｂは、２本の横方向折曲線６４、６４に沿って折り曲げられて、３つの面３０ｂ１、３０ｂ２、３０ｂ３に折り曲げ自在となる。
【０１１８】
また最上層基板３０ａは、第１の実施の形態（図５参照）に比べて、幅広の２本の横方向分離線１１５、１１５を介して３つの面３０ａ１、３０ａ２、３０ａ３に分離されている。
【０１１９】
さらに中間層基板３０ｃは、幅広の２本の横方向分離線１１５、１１５を介して３つの面３０ｃ１、３０ｃ２、３０ｃ３に分離されている。
【０１２０】
また最下層基板３０ｂの面３０ｂ１と、中間層基板３０ｃの面３０ｃ１との間、最下層基板３０ｂの面３０ｂ２と、中間層基板３０ｃの面３０ｃ２との間、および最下層基板３０ｂの面３０ｂ３と、中間層基板３０ｃの面３０ｃ３との間には、各々図１２において縦方向に一直線状に延びる左側の縦方向折曲線６１が形成され、この縦方向折曲線６１により面３０ｂ１と面３０ｃ１が互いに連続しかつ折り曲げ自在となり、面３０ｂ２と面３０ｃ２が互いに連続しかつ折り曲げ自在となり、面３０ｂ３と面３０ｃ３が互いに連続しかつ折り曲げ自在となっている。
【０１２１】
なお、本実施の形態において「縦方向」、「横方向」、「左側」、「右側」とは紙基板３０を図１２に示す方向に配置した場合の「縦方向」、「横方向」、「左側」、「右側」を意味する。
【０１２２】
また図１２において、最上層基板３０ａの面３０ａ１は、最下層基板３０ｂの面３０ｂ１に対して互いに連続しかつ第１縦方向折曲線１１１を介して折り曲げ自在となり、最上層基板３０ａの面３０ａ２および面３０ａ３は、最下層基板３０ｂの面３０ｂ２および面３０ｂ３に対して互いに連続しかつ第２縦方向折曲線１１２を介して折り曲げ自在となっている。
【０１２３】
図１２に示すように、最下層基板３０ｂの面３０ｂ１と最上層基板３０ａの面３０ａ１との間の第１縦方向折曲線１１１は、最下層基板３０ｂの面３０ｂ２と最上層基板３０ａの面３０ａ２との間の第２縦方向折曲線１１２に対して横方向の右側外方へ変位している。このことにより、最下層基板３０ｂの面３０ｂ１（第１面３０ｂ１）は、面３０ｂ２（第２面３０ｂ２）より幅方向（図５の横方向）右方へ所定長さ拡大した延長辺部３０Ａを有することになる。このように最下層基板３０ｂの面３０ｂ１が幅方向に拡大することに伴い、最上層基板３０ａの面３０ａ１も面３０ａ２に比べて幅方向の長さが長くなっており、かつ中間層基板３０ｃの面３０ｃ１も面３０ｃ２に比べて幅方向長さが長くなっており、この場合、面３０ａ１、面３０ｂ１，および面３０ｃ１の幅方向長さは略同一となっている。
【０１２４】
次に、最下層基板３０ｂの表面に形成された導電パターン１８について図１２を用いて説明する。図１２の導電パターン１８は、三等分された上方面〜下方面２ａ〜２ｃからなる情報入力面２に対応して３つの領域に分離されている。
【０１２５】
このうち導電パターン１８の上方領域は、スタートボタン３に対応したスイッチ接点３１と、取り消しボタン４に対応したスイッチ接点３２とを有する。導電パターン１８の中央領域は、錠剤５の各ケースに対応した計６つのスイッチ接点３３を有する。導電パターン１８の下方領域は、患者の症状および症状の程度を選択する各選択ボタンに対応したスイッチ接点３４を有する。
【０１２６】
また上述のように、紙基板３０のうち分割基板３０ｂに、通信モジュール１０が配置されるが、この分割基板３０ｂと通信モジュール１０との間にフレキシブル確認回路１００が介在される（図１２参照）。このフレキシブル確認回路１００はいずれかのボタン、例えばスタートボタン３、取り消しボタン４、錠剤５のケース５ａ、選択ボタン６および選択ボタン７のいずれかのボタンが押圧された際に、この押圧確認を行うＬＥＤ発光部１０２等の押圧確認手段を含む。図１２において、このＬＥＤ発光部１０２は通信モジュール１０の右端から手前側へ露出している。
【０１２７】
フレキシブル確認回路１００のＬＥＤ発光部１０２は、紙基板３０のうち分割基板３０ａに形成された発光部用窓１０５を介して外方へ露出する。そしてＬＥＤ発光部１０２は、ボタン３、４、６および７のうちいずれかのボタン、あるいはケース５ａが患者により押圧された際、通信モジュール１０の制御部２２により発光して発光部用窓１０５から発光状態を外方へ現わすようになっている。
【０１２８】
また図１２に示すように、紙基板３０の最上層基板３０ａに、最上層基板３０ａに形成された発光部用窓１０５を覆って、拡散フィルム１２０が貼り付けられている。図１２において、拡散フィルム１２０は最上層基板３０ａのうち折り畳まれる最下層基板３０ｂ側の面に貼り付けられている。
【０１２９】
次に図１２により、ＬＥＤ発光部１０２および発光部用窓１０５の配置位置について述べる。図１２に示すように、ＬＥＤ発光部１０２は最下層基板３０ｂの面３０ｂ１（第１面３０ｂ１）のうち、第１縦方向折曲線１１１近傍に配置され、発光部用窓１０５は最上層基板３０ａの面３０ａ１（第３面３０ａ１）のうち第１縦方向折曲線１１１近傍に配置されている。具体的には、ＬＥＤ発光部１０２は最下層基板３０ｂの面３０ｂ１のうち、延長部辺部３０Ａ上に配置され、最下層基板３０ｂの面３０ｂ１と最上層基板３０ａの面３０ａ１を第１縦方向折曲線１１に沿って折り畳んだ際に、延長辺部３０Ａに対応する面３０ａ１（第３面３０ａ１）上に発光部用窓１０５が配置されている。
【０１３０】
また上述のように最下層基板３０ｂの面３０ｂ２と最上層基板３０ａの面３０ａ２との間には第２縦方向折曲線１１２が形成されている。
【０１３１】
本実施の形態において、上述のように最下層基板３０ｂの面３０ｂ１を第１面といい、面３０ｂ２を第２面といい、また最上層基板３０ａの面３０ａ１を第３面といい、面３０ａ２を第４面とする。
【０１３２】
図１２において、面３０ｂ１（第１面３０ｂ１）上に中間層基板３０ｃの面３０ｃ１を介在させて、第１縦方向折曲線１１１を介して面３０ａ１（第３面３０ａ１）を折り畳み、面３０ｂ２（第２面３０ｂ２）上に中間層基板３０ｃの面３０ｃ２を介在させて第２縦方向折曲線１１２を介して面３０ａ２（第４面３０ａ２）を折り畳み、面３０ｂ３上に中間層基板３０ｃの面３０ｃ３を介在させて第２縦方向折曲線１１２を介して面３０ａ３を折り畳む。
【０１３３】
この場合、図１２に示すように、第１縦方向折曲線１１１は第２縦方向折曲線１１２より横方向右側外方に位置する。またＬＥＤ発光部１０２および発光部用窓１０５は第２縦方向折曲線１１２の延長線Ｌより横方向外方に位置する。また中間層基板３０ｃの切り欠き６２が発光部用窓１０５を露出させる程度に充分に大きくなっている。
【０１３４】
このため紙基板３０の最下層基板３０ｂ上に中間層基板３０ｃを介して最上層基板３０ａを折り畳んだ後、更に折り畳まれた紙基板３０を２本の横方向折曲線６４、６４に沿って三等分して折り畳んだ際、発光部用窓１０５は紙基板３０の一部に覆われることはなく、発光部用窓１０５を確実に横方向外方へ露出させることができる（図１０参照）。また、中間層基板３０ｂおよび最上層基板３０ａの横方向分離線１１５は一定の大きさの幅を持つため、紙基板３０を２本の横方向折曲線６４，６４に沿って容易に折り曲げることができ、紙基板３０はその折り畳み状態を安定して維持することができる。このことによって、折り畳み後に紙基板３０が簡単に展開しないようになっている。
【０１３５】
使用に際して、患者（使用者）がいずれかのボタン、例えばスタートボタン３、取り消しボタン４、錠剤５のケース５ａ、選択ボタン６および選択ボタン７のうちいずれかのボタンを押圧した際（図２参照）、通信モジュール１０の制御部２２により、フレキシブル確認回路１００のＬＥＤ発光部１０２を発光させる。このときＬＥＤ発光部１０２の発光状態は、発光部用窓１０５および拡散フィルム１２０を介して外方へ現れる。このことにより、患者は、自らがいずれかのボタンを押圧したことを直ちに確認することができる。
【０１３６】
一般に紙基板３０に設けられたボタン３、４、６、７あるいはケース５ａを押圧した場合、この押圧したという感覚はボタンから得ることはできない。このためボタン３、４、６、７あるいはケース５ａを押圧しても押圧したか否か不安になることも考えられるが、本実施の形態によれば、ボタン３、４、６、７あるいはケース５ａを押圧した場合、患者は直ちに発光部用窓１０５を介してＬＥＤ発光部１０２の発光状態を確認することができるため、ボタンを押圧したことを直ちに確認することができる。
【０１３７】
この場合、ＬＥＤ発光部１０２からの光は拡散フィルム１２０を通って発光部用窓１０５から外方へ放出される。この際、ＬＥＤ発光部１０２からの光は拡散フィルム１２０により拡散されて外方へ出ていくことになる。このため使用者が発光部用窓１０５を斜めからみたり、あるいは発光部用窓１０５を離してみた場合であっても視認性良くＬＥＤ発光部１０２からの光を確実に確認することができる。
【０１３８】
また上述のように紙基板３０の最下層基板３０ｂ上に中間層基板３０ｃを介して最上層基板３０ａを折り畳み、その後、さらに基板３０を２本の横方向折曲線６４、６４に沿って三等分して折り畳んだ場合でも、発光部用窓１０５を外方へ露出させることができるので、この発光部用窓１０５を介してＬＥＤ発光部１０２からの光を確実に確認することができる。
【０１３９】
このように、本実施の形態によれば、紙基板３０を拡げた場合でも折り畳んだ場合でも、常に発光部用窓１０５を介してＬＥＤ発光部１０２からの光を確認することができる。
【０１４０】
＜第３の実施の形態＞
次に図１３および図１４により、本発明の第３の実施の形態について説明する。
第１の実施の形態および第２の実施の形態において、紙基板３０の最下層基板３０ｂ上に中間層基板３０ｃを介して最上層基板３０ａを折り畳んだ後、更に折り畳まれた紙基板３０を２本の横方向折曲線６４，６４に沿って三等分して折り畳むことにより、発光部用窓１０５を横方向外方へ露出する例を示した（図１Ｂおよび図１０参照）。しかしながら、これに限らず、図１３および図１４に示すように、紙基板３０の最下層基板３０ｂの第１面３０ｂ１が第２面３０ｂ２より縦方向の所定の長さ分大きな延長部３０Ａを有し、この延長辺部３０Ａ上に発光部１０２を設け、最上層基板３０ａの第３面３０ａ１を最下層基板３０ｂの第１面３０ｂ１に対して折り曲げた際、延長辺部３０Ａに対応する第３面３０ａ１上に発光部用窓１０５を設けてもよい。最下層基板３０ｂ上に、中間層基板３０ｃを介して最上層基板３０ａを折り畳んだ後、更に折り畳まれた紙基板３０を２本の横方向折曲線６４，６４に沿って三等分して折り畳む。この場合、発光部１０２および発光部用窓１０５を最下層基板３０ｂの面３０ｂ２および面３０ｂ３，中間層基板３０ｃの面３０ｃ２および面３０ｃ３、および最上層基板３０ａの面３０ａ２および面３０ａ３より縦方向上方に配置して、発光部用窓１０５を紙基板３０の一部に覆われることなく、発光部１０２および発光部用窓１０５を確実に縦方向外方へ露出させてもよい。
【符号の説明】
【０１４１】
１  服薬記録カード
２  情報入力面
３  スタートボタン
４  取り消しボタン
５  薬（錠剤）
５ａ  ケース
６（６ａ〜６ｅ）  選択ボタン
７（７ａ〜７ｃ）  選択ボタン
１０  通信モジュール
１１  樹脂基板
１２  ＡＳＩＣ
１３  水晶振動子
１４  ボタン電池
１５  スピーカ
１６  パッド
１７  アンテナパターン
１８  導電パターン
１８Ａ  導電回路
１８ａ  接地パターン
３０  紙基板
３０Ａ  延長辺部
３０ａ、３０ｂ、３０ｃ  分割基板
３０ａ１、３０ａ２、３０ａ３  面
３０ｂ１、３０ｂ２、３０ｂ３  面
３０ｃ１、３０ｃ２、３０ｃ３  面
３１〜３７  スイッチ接点
３９  端子部
６１  縦方向折曲線
６２  孔（切り欠き）
６３  ミシン目
６４  横方向折曲線
７０  回路基板
８０  フレキシブル回路コネクタ
９０  回路コネクタ
１００  フレキシブル確認回路
１０１  フレキシブル基材
１０２  ＬＥＤ発光部
１０３  導電部
１０５  発光部用窓
１１１  第１縦方向折曲線
１１２  第２縦方向折曲線
１１５  横方向分離線
１２０  拡散フィルム
１２１  透明基材
１２２  バインダ
１２３  光拡散粒子
【図１Ａ】
2019159803.tif 000003
【図１Ｂ】
2019159803.tif 000004
【図２】
2019159803.tif 000005
【図３】
2019159803.tif 000006
【図４】
2019159803.tif 000007
【図５】
2019159803.tif 000008
【図６Ａ】
2019159803.tif 000009
【図６Ｂ】
2019159803.tif 000010
【図７Ａ】
2019159803.tif 000011
【図７Ｂ】
2019159803.tif 000012
【図８】
2019159803.tif 000013
【図９】
2019159803.tif 000014
【図１０】
2019159803.tif 000015
【図１１】
2019159803.tif 000016
【図１２】
2019159803.tif 000017
【図１３】
2019159803.tif 000018
【図１４】
2019159803.tif 000019